(57)【特許請求の範囲】
【請求項１】
２個又は３個の長細い単位発光部が長手方向を互いに直交させる向きで長手方向の一端部ずつを互いに連結された形状の発光部を有し、
各単位発光部がそれぞれ他の単位発光部との連結部に近い位置ほど輝度を高くするような輝度の勾配を有することを特徴とする照明器具。
【請求項２】
各単位発光部は、それぞれ、長手方向と厚さ方向とに直交する短手方向での中央部から両端部に向かって輝度を高くするような輝度勾配を有する面状発光体からなることを特徴とする請求項１記載の照明器具。
【発明の詳細な説明】
【技術分野】
【０００１】
本発明は、室内用の照明器具に関するものである。
【背景技術】
【０００２】
従来から、室内用の照明器具として、種々のものが提供されている。
【０００３】
従来の室内用の照明器具は、一般的には天井面に配置されていた（例えば、特許文献１参照）。
【特許文献１】特開２００１−６４０４号公報
【発明の開示】
【発明が解決しようとする課題】
【０００４】
しかし、照明器具が天井面に配置された場合、部屋の隅において２つの壁面と天井面との３つの面が互いに近接する天井面付近が暗くなりやすかった。
【０００５】
本発明は、上記事由に鑑みて為されたものであり、その目的は、部屋の隅の天井面付近の照明に適した照明器具を提供することにある。
【課題を解決するための手段】
【０００６】
請求項１の発明は、２個又は３個の長細い単位発光部が長手方向を互いに直交させる向きで長手方向の一端部ずつを互いに連結された形状の発光部を有し、各単位発光部がそれぞれ他の単位発光部との連結部に近い位置ほど輝度を高くするような輝度の勾配を有することを特徴とする。
【０００７】
この発明によれば、各単位発光部をそれぞれ壁面と天井面との境界又は壁面同士の境界に沿って配置することができるから、部屋の隅の天井面付近の照明に適する。また、曲面的な印象を与えることができる。
【００１０】
請求項２の発明は、請求項１の発明において、各単位発光部は、それぞれ、長手方向と厚さ方向とに直交する短手方向での中央部から両端部に向かって輝度を高くするような輝度勾配を有する面状発光体からなることを特徴とする。
【００１１】
この発明によれば、各単位発光部において短手方向の両端が室内の互いに異なる面（壁面または天井面）に向くように配置すれば、上記輝度勾配により、壁面や天井面での反射光を強めつつ、面状発光体の短手方向の中央部での輝度のピークを低くすることになるから、壁面同士の連結部や壁面と天井面との連結部を単位発光部付近においてより曲面的に見せることができる。
【発明の効果】
【００１２】
請求項１の発明は、２個又は３個の長細い単位発光部が長手方向を互いに直交させる向きで長手方向の一端部ずつを互いに連結された形状の発光部を有するので、各単位発光部をそれぞれ壁面と天井面との境界又は壁面同士の境界に沿って配置することができるから、部屋の隅の天井面付近の照明に適する。また、各単位発光部がそれぞれ他の単位発光部との連結部に近い位置ほど輝度を高くするような輝度の勾配を有するので、曲面的な印象を与えることができる。
【００１４】
請求項２の発明は、各単位発光部は、それぞれ、長手方向と厚さ方向とに直交する短手方向での中央部から両端部に向かって輝度を高くするような輝度勾配を有するので、各単位発光部において短手方向の両端が室内の互いに異なる面（壁面または天井面）に向くように配置すれば、上記輝度勾配により、壁面や天井面での反射光を強めつつ、面状発光体の短手方向の中央部での輝度のピークを低くすることになるから、壁面同士の連結部や壁面と天井面との連結部を単位発光部付近においてより曲面的に見せることができる。
【発明を実施するための最良の形態】
【００１５】
以下、本発明を実施するための最良の形態について、図面を参照しながら説明する。
【００１６】
本実施形態は、図１に示すように、２個の発光モジュール１と、例えば天井面ＣＥに埋込配設されて各発光モジュール１にそれぞれ点灯用の電源を供給する点灯装置２とからなる。
【００１７】
各発光モジュール１は、それぞれ、図２（ａ）〜（ｃ）に示すように、天井面ＣＥと壁面ＷＡとの少なくとも一方に固定されるベース３と、ベース３に保持されてベース３を介して点灯装置２から電源を供給されて発光する単位発光部としての面状発光体４とを備える。
【００１８】
面状発光体４は、例えば、図３に示すように、透光性を有する柔軟な材料からなる扁平な基板４１と、透光性と導電性とを有する材料からなり基板４１の厚さ方向の一方の面上に形成された第１の電極層４２と、有機化合物からなり第１の電極層４２上に設けられて通電されることにより発光する発光層４３と、導電性を有する材料からなり発光層４３上に設けられた第２の電極層４４と、発光層４３と各電極層４２，４４とをそれぞれ封止する封止層４５とを有する周知の有機ＥＬ素子からなる。すなわち、電極層４２，４４間に電圧が加えられると発光層４３が通電されて発光し、この光が第１の電極層４２と基板４１とを通じて図３の下方へ放射されるのである。基板４１の材料としては例えばポリエチレンテレフタラート（ＰＥＴ）を用いることができ、第１の電極層４２の材料としては例えばインジウムすず酸化物（ＩＴＯ）を用いることができ、第２の電極層４４の材料としては例えばアルミニウムを用いることができ、封止層４５の材料としては例えばシリコーン樹脂を用いることができる。また、面状発光体４は厚さ方向から見て長方形状であり、図３の下側を外側へ向け図３の上側を内側へ向けて短手方向の両端を互いに同じ方向へ向けるようにＵ字形状に曲げられることにより全体として長細い形状となっていて、ベース３に保持される両端部である短手方向の両端部にそれぞれ一方ずつの電極層４２，４４に電気的に接続された端子（図示せず）が設けられており、端子間に電圧を加えられることにより発光する。
【００１９】
ベース３は、絶縁材料からなる三角柱形状のベース本体３１を備える。ベース本体３１において長手方向に直交する断面での断面形状は、図４に示すように面状発光体４に向けられる側（図３における上側）を底辺とした直角二等辺三角形状となっている。また、ベース３において、面状発光体４に向けられる面にはそれぞれ面状発光体４の一端部ずつが嵌合する２本の溝３１ａが設けられている。
【００２０】
溝３１ａ内には、導電材料からなり面状発光体４の上記端子に接触導通する端子３２が配置されている。さらに、ベース本体３１において天井に向けられる面には、一端が点灯装置２に接続されたコードの他端に設けられたプラグ（図示せず）が挿入接続されるレセプタクル３３が保持されている。レセプタクル３３内には、それぞれ１個ずつの端子３２に電気的に接続されるとともに挿入された上記プラグのコンタクトに接触導通する複数個のコンタクト（図示せず）が保持されている。すなわち、各端子３２はそれぞれレセプタクル３３と上記コードとを介して点灯装置２に電気的に接続される。
【００２１】
また、面状発光体４の長手方向の一端部は、ベース３からの突出寸法を端に向かって小さくするように傾斜しており、２個の発光モジュール１は図５に示すように面状発光体の上記傾斜した面同士を合わせる形で例えば金具（図示せず）を介して連結されることにより一体化され、ここにおいて２個の面状発光体４は全体として１個のＬ字形状の発光部を構成している。面状発光体４の長手方向の他端部は、例えば面状発光体４の延長された一部によって閉塞されている。
【００２２】
点灯装置２は、例えばバックコンバータのような周知の直流電源回路を備え、商用電源から供給された交流電力を、面状発光体４を発光させる適宜電圧の直流電力に変換する。
【００２３】
上記構成によれば、部屋の隅の天井面ＣＥ付近において各壁面ＷＡと天井面ＣＥとの境界に１個ずつの発光モジュール１の長手方向を平行とさせる形で各発光モジュール１を配置することができるから、部屋の隅の天井面ＣＥ付近の照明に適する。
【００２４】
なお、図６に示すように、もう１個の発光モジュール１を、長手方向を上記２個の発光モジュール１の長手方向に対してそれぞれ直交する方向へ向けて連結してもよい。この場合、追加された発光モジュール１の長手方向は２個の壁面ＷＡの境界に沿った方向である上下方向に向けられる。発光モジュール１を図１のように２個用いる場合と図６のように３個用いる場合とのいずれにおいても、面状発光体４の形状を適宜変更することにより、ベース本体３１の３個の側面のうち面状発光体４が取り付けられていない２個の側面（図４の下側に向けられている２個の側面）がそれぞれ壁面ＷＡ又は天井面ＣＥのうちの１個ずつに接するようにしつつ、面状発光体４間に隙間が生じないようにすることができる。
【００２５】
さらに、各発光モジュール１の面状発光体４に、それぞれ、他の発光モジュール１に近い側の一端から他端に向かって徐々に輝度を低くするような輝度の勾配、すなわち、部屋の角に近づくほど輝度を高くするような輝度の勾配を設ければ、曲面的な印象を与えることができる。
【００２６】
また、各発光モジュール１の面状発光体４に、それぞれ、短手方向での中央部から両端部に向かって輝度を高くするような輝度勾配を設けてもよい。この構成を採用すれば、壁面ＷＡや天井面ＣＥでの反射光を強めつつ、面状発光体４の短手方向の中央部での輝度のピークを低くすることになるから、壁面ＷＡ同士の連結部や壁面ＷＡと天井面ＣＥとの連結部を発光モジュール１付近においてより曲面的に見せることができる。
【００２７】
上記のような輝度の勾配は、例えば発光層４３の厚さを徐々に変化させることや、電極層４２，４４自体の電気抵抗による電圧の低下を利用することによって実現することができる。また、光源として上記の面状発光体４以外のものを用いる場合であっても、例えば光源を覆うカバーにおいて光源の光に対する透過率に勾配を設けることにより、上記のような輝度の勾配は実現可能である。
【図面の簡単な説明】
【００２８】
【図１】本発明の実施形態の使用状態を示す説明図である。
【図２】（ａ）〜（ｃ）はそれぞれ同上の発光モジュールを示し、（ａ）は正面図、（ｂ）は左側面図、（ｃ）は右側面図である。
【図３】同上の面状発光体の構造を示す説明図である。
【図４】同上の発光モジュールのベースを示す断面図である。
【図５】同上において２個の発光モジュールを一体化した状態を示す正面図である。
【図６】同上の別の形態の使用状態を示す説明図である。
【符号の説明】
【００２９】
１  発光モジュール
２  点灯装置
４  面状発光体
ＣＥ  天井面
ＷＡ  壁面
【図１】
0004944709.tif 000002
【図２】
0004944709.tif 000003
【図３】
0004944709.tif 000004
【図４】
0004944709.tif 000005
【図５】
0004944709.tif 000006
【図６】
0004944709.tif 000007